【手続補正書】
【提出日】令和2年7月8日(2020.7.8)
【手続補正１】
【補正対象書類名】明細書
【補正対象項目名】発明の名称
【補正方法】変更
【補正の内容】
【発明の名称】画像処理装置、通信装置およびそれらの制御方法、並びにプログラム
【手続補正２】
【補正対象書類名】明細書
【補正対象項目名】０００６
【補正方法】変更
【補正の内容】
【０００６】
上記課題を解決し、目的を達成するために、本発明の画像処理装置は、第１の無線通信方式により通信装置と通信を行う第１の無線通信手段と、前記第１の無線通信方式よりも低消費電力の第２の無線通信方式により前記通信装置と無線通信を行う第２の無線通信手段と、前記第１の無線通信手段を介して前記通信装置から画像データに関わる処理要求を受信した場合に、前記第１の無線通信手段を介した前記通信装置との接続を切断し、前記処理要求に対応する所定の処理を実行した後の完了通知を、前記第２の無線通信手段を介して前記通信装置に送信する制御手段と、を有する。
【手続補正３】
【補正対象書類名】特許請求の範囲
【補正対象項目名】全文
【補正方法】変更
【補正の内容】
【特許請求の範囲】
【請求項１】
第１の無線通信方式により通信装置と通信を行う第１の無線通信手段と、
前記第１の無線通信方式よりも低消費電力の第２の無線通信方式により前記通信装置と無線通信を行う第２の無線通信手段と、
前記第１の無線通信手段を介して前記通信装置から画像データに関わる処理要求を受信した場合に、前記第１の無線通信手段を介した前記通信装置との接続を切断し、前記処理要求に対応する所定の処理を実行した後の完了通知を、前記第２の無線通信手段を介して前記通信装置に送信する制御手段と、を有することを特徴とする画像処理装置。
【請求項２】
前記処理要求は、前記完了通知の送信に用いる無線通信方式を指定する情報を含み、
前記制御手段は、前記処理要求に含まれる前記情報に基づいて、前記第１の無線通信方式が指定されている場合は、前記完了通知を前記第１の無線通信手段により前記通信装置に送信し、
前記第２の無線通信方式が指定されている場合は、前記第１の無線通信手段を介した前記通信装置との接続を切断し、前記第２の無線通信手段により前記通信装置に送信することを特徴とする請求項１に記載の画像処理装置。
【請求項３】
前記第１の無線通信手段を介して前記通信装置から前記情報の変更を受け付ける受付手段をさらに備え、
前記制御手段は、前記受付手段が前記第１の無線通信方式への変更を受け付けた場合は、前記完了通知を前記第１の無線通信手段を介して前記通信装置に送信し、
前記第２の無線通信方式への変更を受け付けた場合は、前記第１の無線通信手段を介した前記通信装置との接続を切断し、前記第２の無線通信手段により前記通信装置に送信することを特徴とする請求項２に記載の画像処理装置。
【請求項４】
前記所定の処理は、ＲＡＷデータの現像処理であることを特徴とする請求項１から３のいずれか１項に記載の画像処理装置。
【請求項５】
前記ＲＡＷデータの現像処理は、オリジナル画像に対応するＲＡＷデータの現像処理と、前記オリジナル画像の代理の画像に対応するＲＡＷデータの現像処理のいずれかを含むことを特徴とする請求項４に記載の画像処理装置。
【請求項６】
前記制御手段は、前記代理の画像のＲＡＷデータの現像処理を実行した結果に基づいて、前記代理の画像に対応するオリジナル画像のＲＡＷデータの現像処理に要する時間を推定する手段を有することを特徴とする請求項５に記載の画像処理装置。
【請求項７】
前記制御手段は、前記処理要求の受付通知に前記推定した時間を含めることを特徴とする請求項６に記載の画像処理装置。
【請求項８】
第１の無線通信方式により画像処理装置と通信を行う第１の無線通信手段と、
前記第１の無線通信方式よりも低消費電力の第２の無線通信方式により前記画像処理装置と無線通信を行う第２の無線通信手段と、
前記第１の無線通信手段を介して前記画像処理装置に画像データに関わる処理要求を送信した場合に、前記第１の無線通信手段を介した前記画像処理装置との接続を切断し、前記処理要求に対応する所定の処理を実行した後の完了通知を、前記第２の無線通信手段を介して前記画像処理装置から受信する制御手段と、を有することを特徴とする通信装置。
【請求項９】
前記処理要求は、前記完了通知の送信に用いる無線通信方式を指定する情報を含み、
前記制御手段は、前記処理要求に前記情報を含め、前記情報により指定された無線通信方式で前記画像処理装置から前記完了通知を受信することを特徴とする請求項８に記載の通信装置。
【請求項１０】
前記制御手段は、前記第１の無線通信手段を介して前記画像処理装置に前記無線通信方式の変更要求を送信し、
前記第１の無線通信方式への変更が要求された場合は、前記完了通知を前記第１の無線通信手段を介して前記画像処理装置から受信し、
前記第２の無線通信方式への変更が要求された場合は、前記第１の無線通信手段を介した前記画像処理装置との接続を切断し、前記第２の無線通信手段により前記画像処理装置から受信することを特徴とする請求項９に記載の通信装置。
【請求項１１】
前記所定の処理は、ＲＡＷデータの現像処理であることを特徴とする請求項９または１０に記載の通信装置。
【請求項１２】
前記ＲＡＷデータの現像処理は、オリジナル画像に対応するＲＡＷデータの現像処理と、前記オリジナル画像の代理の画像に対応するＲＡＷデータの現像処理のいずれかを含むことを特徴とする請求項１１に記載の通信装置。
【請求項１３】
前記制御手段は、前記画像処理装置での前記ＲＡＷデータの現像処理に要する時間を前記画像処理装置から取得し、
前記画像処理装置から取得した時間に基づいて、前記情報に含まれる無線通信方式を決定することを特徴とする請求項１１または１２に記載の通信装置。
【請求項１４】
第１の無線通信方式により通信装置と通信を行う第１の無線通信手段と、
前記第１の無線通信方式よりも低消費電力の第２の無線通信方式により前記通信装置と無線通信を行う第２の無線通信手段と、を有する画像処理装置の制御方法であって、
前記第１の無線通信手段を介して前記通信装置から画像データに関わる処理要求を受信した場合に、前記第１の無線通信手段を介した前記通信装置との接続を切断し、前記処理要求に対応する所定の処理を実行した後の完了通知を、前記第２の無線通信手段を介して前記通信装置に送信するステップを有することを特徴とする制御方法。
【請求項１５】
第１の無線通信方式により画像処理装置と通信を行う第１の無線通信手段と、
前記第１の無線通信方式よりも低消費電力の第２の無線通信方式により前記画像処理装置と無線通信を行う第２の無線通信手段と、を有する通信装置の制御方法であって、
前記第１の無線通信手段を介して前記画像処理装置に画像データに関わる処理要求を送信した場合に、前記第１の無線通信手段を介した前記通信装置との接続を切断し、前記処理要求に対応する所定の処理を実行した後の完了通知を、前記第２の無線通信手段を介して前記画像処理装置から受信するステップを有することを特徴とする通信装置の制御方法。
【請求項１６】
コンピュータを、請求項１ないし７のいずれか１項に記載された画像処理装置の各手段として機能させるためのプログラム。
【請求項１７】
コンピュータを、請求項８ないし１３のいずれか１項に記載された通信装置の各手段として機能させるためのプログラム。
【手続補正４】
【補正対象書類名】明細書
【補正対象項目名】００９８
【補正方法】変更
【補正の内容】
【００９８】
また、Ｓ４２５のＲＡＷ現像処理要求は、Ｓ４２４によるアプリケーション終了操作の検出を契機に実行しているが、これに限らず、他の処理を契機にしてもよい。例えば、Ｓ４２２の処理が終了したことを契機にしてもよい。この場合、複数のＲＡＷデータに対してまとめてＲＡＷ現像処理を実行するのではなく、Ｓ４２１で「保存」を選択したＲＡＷファイルごとにＲＡＷ現像処理が実行される。また、この場合は、通信装置Ｂ１００は、ＲＡＷ現像処理完了通知の通信方式において、次のＲＡＷファイルの現像処理を想定して、無線ＬＡＮを指定するようにしてもよい。或いは、Ｓ４１７で取得した「ＲＡＷデータの現像処理にかかる推定時間」に関する情報に基づいて、ＢＬＥから無線ＬＡＮのいずれかを指定するようにしてもよい。また、ＢＬＥを指定してＲＡＷ現像処理を実行した後、次のＲＡＷ現像処理を実行するために、Ｓ４０１と同様の処理を実行して再び無線ＬＡＮの通信接続を確立させることも可能である。